(57)【要約】      （修正有）【課題】手を被覆（保温）するという本来の機能をもつ手袋に、夜間外出時の通行人存在報知用の機能を付与した発光機能付き手袋を提供する。【解決手段】手袋本体１の甲面１１に発光を外部から視認できる発光体２１を取付けているとともに、該発光体２１の電源となる電池２２と切換スイッチ２３とを手袋本体１に設けていることにより、手袋本来の被覆（保温）機能のほかに、発光体２１を発光させることにより、夜間外出時に自動車等の運転者に対して通行人が存在することを報知する機能を付与できるようにしている。【選択図】図１
0003203638.tif 000002
【実用新案登録請求の範囲】
【請求項１】
手袋本体（１）の甲面（１１）に発光を外部から視認できる発光体（２１）を取付けているとともに、該発光体（２１）の電源となる電池（２２）と切換スイッチ（２３）とを上記手袋本体（１）に設けていることを特徴とする発光機能付き手袋。
【請求項２】
請求項１において、上記切換スイッチ（２３）は、上記発光体（２１）を点灯と点滅と消灯とに切換え得るものであることを特徴とする発光機能付き手袋。
【考案の詳細な説明】
【技術分野】
【０００１】
本考案は、手袋を装着して夜間に外出したときに、発光によって相手側に自己の存在を報知することができるようにした発光機能付き手袋に関するものである。
【背景技術】
【０００２】
夜間の暗所を歩行（散歩やジョギング）していると、その通行人が自動車等（自転車を含む）の運転者から見えにくいことが多々あり、不測の交通事故を引き起こす原因になっていた。
【０００３】
ところで、夜間に散歩したりジョギングしたりする際に、自動車等の運転者に自己の存在を報知するためのものとして、例えば登録実用新案第３０５４４５８号公報（特許文献１）に示される光反射（光回帰）機能をもったタスキや、実開平７−１４８３号公報（特許文献２）に示される発光灯を埋め込んだタスキ等が知られている。
【０００４】
そして、これらの公知のタスキは、夜間外出時に肩から掛けることによって、光反射機能（特許文献１のもの）や発光機能により自動車等の運転者に通行人がいることを報知することができる機能を有している。
【先行技術文献】
【特許文献】
【０００５】
【特許文献１】登録実用新案第３０５４４５８号公報
【特許文献２】実開平７−１４８３号公報
【考案の概要】
【考案が解決しようとする課題】
【０００６】
ところが、上記各公知例の通行人存在報知用のタスキは、専ら通行人の存在を報知するためのものであって、それ以外の用途に用いられるものではないので、利用範囲が狭いものであるとともに、タスキを肩に掛けていると該タスキが歩行の邪魔になるという問題があった。
【０００７】
そこで、本考案は、手を被覆（保温）するという本来の機能をもつ手袋に、夜間外出時において発光により通行人の存在を報知し得る機能を付与した発光機能付き手袋を提供することを目的としてなされたものである。
【課題を解決するための手段】
【０００８】
本願考案は、上記課題を解決するための手段として次の構成を有している。尚、本考案は、夜間外出時に、自己の存在を報知する機能を備えた発光機能付き手袋を対象としている。
【０００９】
そして、本考案の発光機能付き手袋は、手袋本体の甲面に発光を外部から視認できる発光体を取付けているとともに、該発光体の電源となる電池と切換スイッチとを手袋本体に設けていることを特徴としている。
【００１０】
又、本考案の発光機能付き手袋には、上記切換スイッチに、上記発光体を点灯と点滅と消灯とに切換える機能を付与することができる。
【００１１】
本考案の発光機能付き手袋は、昼間は通常の被覆（保温）手袋として手に装着して使用できる一方、夜間の暗所では上記切換スイッチにより発光体を点灯（又は点滅）させることにより、その発光で自動車等の運転者に通行人の存在を報知できる機能を有するものである。又、上記発光体は、手袋の甲面に設けているので、歩行時には周囲からよく見える位置にあり、さらに発光体を点滅させると一層報知力を高めることができる。
【考案の効果】
【００１２】
本考案の発光機能付き手袋は、手を被覆（保温）する通常機能のほかに、夜間の暗所においては発光体を発光（点灯又は点滅）させておくことにより、自動車等の運転者に対して通行人の存在を報知する機能を有しているので、夜間外出時の安全用品として有効利用できるという効果がある。
【００１３】
又、発光体を点滅させると、自動車等の運転者に対して一層報知力を高めることができるとともに、装飾感が増すという機能もある。
【図面の簡単な説明】
【００１４】
【図１】本考案の実施例にかかる発光機能付き手袋の甲側平面図である。
【考案を実施するための形態】
【００１５】
図１には、本願実施例の発光機能付き手袋を示しているが、この発光機能付き手袋は、手袋本体１に発光装置２を設けて構成されたものである。
【００１６】
図１の実施例で使用される手袋本体１は、汎用の生地（例えば布地、編生地、皮革、合成皮革等）で５本指の手袋形状に成形されたものであるが、手袋本体１としてミトン型のものも採用できる。
【００１７】
上記発光装置２は、手袋本体１における掌部分の甲面１１に取付けた発光体２１と、該発光体２１の電源となる電池２２と、切換スイッチ２３と、制御基板２４、とを有したものである。
【００１８】
上記発光体２１は、手袋甲面１１の生地上に透光シート（例えばメッシュシートや透明シート）１２で被覆した状態で取付けている。従って、発光体２１が発光すると、その光が透光シート１２を通過して外部から明確に見えるようになる。
【００１９】
この発光体２１には、例えばＬＥＤ電球や発光ダイオード等が使用できるが、高輝度のものがこのましい。尚、発光体２１は、図示例ではシート材上に３つ取付けているが、個数は幾つでもよい。
【００２０】
上記電池２２と切換スイッチ２３と制御基板２４は、一体的に集約された状態で、手袋本体１の口部付近の内面に設けたポケット部１３に出し入れ自在に収納されている。そして、これらの部材（２２，２３，２４）をポケット部１３に収納した状態で、手袋外面から切換スイッチ２３を押し操作（切換操作）し得るようになっている。尚、切換スイッチ２３と制御基板２４とは一体に組付けられているが、電池２２は制御基板２４に対して着脱自在となっている。又、制御基板２４と発光体２１とは、リード線で接続されている。
【００２１】
上記切換スイッチ２３は、１回押すごとに点灯（連続点灯）と点滅と消灯とに切換え得る機能を有している。又、発光体２１の点滅制御は、点滅間隔の短いものと長いものの２種類に変化させることができる。
【００２２】
図１に示す実施例の発光機能付き手袋は、昼間は通常の被覆（保温）手袋として手に装着して使用できる。他方、夜間の暗所では、この発光機能付き手袋を手に装着した状態で、切換スイッチ２３により発光体２１を点灯（又は点滅）させることができる。
【００２３】
このように、本願実施例の発光機能付き手袋では、手を被覆（保温）する通常機能のほかに、夜間の暗所においては発光体２１を発光（点灯又は点滅）させておくことにより、自動車等の運転者に対して通行人の存在を報知する機能を有しているので、夜間外出時の安全用品として有効利用できるものである。又、発光体２１を点滅させると、一層報知力を高めることができるとともに、装飾感を増すことができるという機能もある。
【符号の説明】
【００２４】
１は手袋本体、２は発光装置、１１は甲面、１２は透光シート、１３はポケット部、２１は発光体、２２は電池、２３は切換スイッチ、２４は制御基板である。
【図１】
0003203638.tif 000003